(57)【特許請求の範囲】
【請求項１】
本体と、
該本体に対して突出入可能に設けられ、光ディスクを載置するディスク収容部が形成されているトレイと、
前記トレイを自動的に前記本体に対して突出および収納させる駆動手段と、
トレイの突出入方向への移動を検出する移動検出手段と、
前記駆動手段および該移動検出手段に接続され、移動検出手段がトレイの移動を検出した場合に、前記駆動手段を作動させるように制御する制御部とを具備し、
前記制御部は、
トレイが収納されている時に、操作者がトレイを本体方向へ押し込むことによって前記移動検出手段がトレイの移動を検出した場合には、トレイを突出させるように前記駆動手段を制御し、
トレイが突出している時に、操作者がトレイを本体方向へ押し込むことによって前記移動検出手段がトレイの移動を検出した場合には、トレイを収納するように前記駆動手段を制御することを特徴とするディスクドライブ装置であって、
ディスクを回転駆動するスピンドルモータと、光ピックアップとを有し、本体内に収納されたディスクに対して接離動可能にチルトするメカシャーシが設けられ、
該メカシャーシの前端部から突出して設けられたガイドピンを収納する左右方向に延びる長孔が形成されると共に、左右方向にスライド可能なスライド部材が設けられ、
前記長孔は、上部と、下部と、上部と下部との間を連結する傾斜部とから構成されており、スライド部材が左右にスライドすることによってガイドピンの位置が長孔の上部と下部との間を移動して、ガイドピンを有しているメカシャーシの前端部が上下動し、メカシャーシがチルトするように設けられ、
前記スライド部材には、上方に向けて突出する押動ピンが設けられ、
前記トレイの下面には、前記押動ピンが摺動可能に収容されると共に、トレイの突出入動作によって前記押動ピンを左右に押動させるガイド溝が設けられ、
該ガイド溝は、
トレイの突出入時に前記押動ピンの位置を変更させないようにトレイの突出入方向に沿って延びる縦部と、前記押動ピンを左右どちらかの横方向に押動するように前記縦部からトレイの突出入方向と直交する横方向に延びる横部を有し、
該横部には、押動ピンが該横部に位置した場合に操作者がトレイを押し込むことができるようにトレイの前方に向かってガイド溝が幅広に設けられた幅広部が形成されていることを特徴とするディスクドライブ装置。
【請求項２】
前記横部には、
前記縦部側と連結されている入り口側の部位が、前記幅広部よりも幅狭であって、押動ピンを摺動させる程度の幅の幅狭部が形成され、
該幅狭部の前方側壁面と前記幅広部の前方側壁面とを繋ぐ壁面が、トレイの突出入方向に対して斜めに傾斜した傾斜面に形成されていることを特徴とする請求項２記載のディスクドライブ装置。
【発明の詳細な説明】
【０００１】
【発明の属する技術分野】
本発明は、光ディスクを載置するためのディスク収容部が形成されたトレイが、本体に対して突出入可能に設けられたディスクドライブ装置に関する。
【０００２】
【従来の技術】
ＣＤやＤＶＤなどの光ディスクを装着してデータの再生や記録を行なう装置としてディスクドライブ装置がある。
従来のディスクドライブ装置の斜視図を図９に示す。
従来のディスクドライブ装置１０は、本体１１と、本体１１から前方に突出するトレイ１２とが設けられている。トレイ１２には、光ディスクを載置するために凹んだディスク収容部１３が形成されている（図１０参照）。
【０００３】
トレイ１２が本体１１内に収納されている状態から前方へ突出させるには、本体１１の前面１１ａにおいてトレイ１２の下方側に設けられているイジェクトボタン１４を操作者が押すことで行なわれる。
なお、イジェクトボタン１４が、本体１１の前面１１ａにおいて、トレイ１２の下方に配置されているのは、部品配置や配線等の都合上の問題があるためである。
イジェクトボタン１４は、操作者に押されることで、ディスクドライブ装置１０の内部に設けられていてモータ等により自動的にトレイを動かす駆動手段（図示せず）を作動させる。
【０００４】
図１０に、イジェクトボタン１４を押してトレイ１２を前方に突出させたところを示している。
そして、本図に示すように、トレイ１２を本体１１内に収納する場合には、イジェクトボタン１４を押そうとしても、突出したトレイ１２が邪魔になってイジェクトボタン１４に手が届かず、イジェクトボタン１４を押すことが困難であった。
【０００５】
【発明が解決しようとする課題】
上述したように、従来のディスクドライブ装置においては、トレイを収納させる場合には、突出したトレイが邪魔でイジェクトボタンの操作が困難であるという課題があった。
【０００６】
このような問題を解決するために、トレイを収納する場合にはイジェクトボタンを操作しなくとも、トレイの前面を押すことによって、トレイの移動を検出したトレイ駆動機構が作動し、トレイを収納できるようにしているディスクドライブ装置も多く見られる。
しかし、かかる従来のトレイの突出入動作については、トレイを突出させるときはイジェクトボタンを押し、収納するときはトレイの前面を押すというように、突出時と収納時とでは異なる操作をせざるをえず、特に初心者にとっては操作がわかりずらく、操作に手間取ってしまうという課題があった。
【０００７】
また、ノートパソコンなどに内蔵されているスリムタイプのディスクドライブ装置では、トレイの前面にイジェクトボタンが配置されているが、トレイを収納する際にはイジェクトボタンは利用できず、手動でトレイを完全にドライブ装置内部まで押し込むようにしていた。
かかる構成であっても、トレイを突出させるときはイジェクトボタンを押し、トレイを収納する場合にはトレイを最後まで押し込む操作という、突出時と収納時とでは異なる操作が必要とされており、特に操作に不慣れな初心者にとっては、操作がわかりずらく、操作に手間取ってしまうという課題があった。
【０００８】
そこで、本発明は上記課題を解決すべくなされ、その目的とするところは、トレイを突出入させるイジェクトボタンの操作性の問題を解決すると共に、トレイを突出させるときと収納するときで同一の操作で行なうことができるディスクドライブ装置を提供することにある。
【０００９】
【課題を解決するための手段】
すなわち、本発明にかかるディスクドライブ装置によれば、本体と、該本体に対して突出入可能に設けられ、光ディスクを載置するディスク収容部が形成されているトレイと、前記トレイを自動的に前記本体に対して突出および収納させる駆動手段と、トレイの突出入方向への移動を検出する移動検出手段と、前記駆動手段および該移動検出手段に接続され、移動検出手段がトレイの移動を検出した場合に、前記駆動手段を作動させるように制御する制御部とを具備し、前記制御部は、トレイが収納されている時に、操作者がトレイを本体方向へ押し込むことによって前記移動検出手段がトレイの移動を検出した場合には、トレイを突出させるように前記駆動手段を制御し、トレイが突出している時に、操作者がトレイを本体方向へ押し込むことによって前記移動検出手段がトレイの移動を検出した場合には、トレイを収納するように前記駆動手段を制御することを特徴とするディスクドライブ装置であって、ディスクを回転駆動するスピンドルモータと、光ピックアップとを有し、本体内に収納されたディスクに対して接離動可能にチルトするメカシャーシが設けられ、該メカシャーシの前端部から突出して設けられたガイドピンを収納する左右方向に延びる長孔が形成されると共に、左右方向にスライド可能なスライド部材が設けられ、前記長孔は、上部と、下部と、上部と下部との間を連結する傾斜部とから構成されており、スライド部材が左右にスライドすることによってガイドピンの位置が長孔の上部と下部との間を移動して、ガイドピンを有しているメカシャーシの前端部が上下動し、メカシャーシがチルトするように設けられ、前記スライド部材には、上方に向けて突出する押動ピンが設けられ、前記トレイの下面には、前記押動ピンが摺動可能に収容されると共に、トレイの突出入動作によって前記押動ピンを左右に押動させるガイド溝が設けられ、該ガイド溝は、トレイの突出入時に前記押動ピンの位置を変更させないようにトレイの突出入方向に沿って延びる縦部と、前記押動ピンを左右どちらかの横方向に押動するように前記縦部からトレイの突出入方向と直交する横方向に延びる横部を有し、該横部には、押動ピンが該横部に位置した場合に操作者がトレイを押し込むことができるようにトレイの前方に向かってガイド溝が幅広に設けられた幅広部が形成されていることを特徴としている。
この構成を採用することによって、トレイを突出入させるためのスイッチとして専用のイジェクトボタンを設けなくともよくなった。したがって、トレイの突出入動作においてイジェクトボタンの配置で操作性が悪くなるようなことがなくなる。また、トレイの突出時と収納時においてトレイを動作させるには、トレイをスイッチとして押し込むだけで操作するという共通の操作で行なうことができる。
また、トレイの突出入動作に伴ってメカシャーシをチルトさせる押動ピンが、操作者がトレイを押し込むことを妨げないようにできる。つまり、従来のガイド溝であれば、トレイが収納されているときに操作者がトレイを押し込んでも押動ピンがガイド溝に収納されていてトレイが動かなかったが、この構成では操作者がトレイを押し込んでも押動ピンが幅広部内に位置するので、トレイをスイッチとして設けることが可能となる。
【００１０】
また、前記横部には、前記縦部側と連結されている入り口側の部位が、前記幅広部よりも幅狭であって、押動ピンを摺動させる程度の幅の幅狭部が形成され、該幅狭部の前方側壁面と前記幅広部の前方側壁面とを繋ぐ壁面が、トレイの突出入方向に対して斜めに傾斜した傾斜面が形成されていることを特徴とする。
この構成を採用することによって、トレイが収納されていく間に、押動ピンが幅狭部を通過してから横部の幅広部内に移動するので、トレイの収納による慣性によって押動ピンが縦部から横部に移動したとたんに幅広部に入ってトレイが押し込まれた状態に移行してしまうことを防止することができる。また、傾斜面を形成したことで、トレイが操作者により押し込まれて押動ピンが幅広部の前方側壁面の方へ位置しているところからトレイが突出しようと作動したときに、押動ピンが幅広部の収納方向側壁面と幅狭部の収納方向側壁面との間でひっかかってしまって、トレイの突出動作を妨げるようなことを防止することができる。
【００１１】
【発明の実施の形態】
以下、本発明の好適な実施の形態を添付図面に基づいて詳細に説明する。
図１にディスクドライブ装置の外観正面を、図２にディスクドライブ装置の内部構成を示す。
【００１２】
ディスクドライブ装置２０は、ＣＤやＤＶＤなどの光ディスクを再生したり記録したりするための装置である。
ディスクドライブ装置２０は、本体２１に、光ディスク（以下、単にディスクという場合もある）を載置するトレイ２２が突出入するように設けられている。
そして、トレイ２２の突出入を行なうためのスイッチ（キートップ）としては、トレイ２２自身を用いる構造となっている。このため、図１に示すように、本実施形態のディスクドライブ装置は、従来のものとは異なり、本体２１前面にはイジェクトボタンは設けられてはいない。すなわち、本実施形態のディスクドライブ装置は、操作者がトレイ２２の正面を押すことによって、トレイ２２の突出入動作を作動させるのである。
なお、本体２１前面に設けられている符号２４は再生ボタンであり、符号２６はボリュームである。符号２７は再生時等に点灯するインジケータであり、符号２８はヘッドホンまたはイヤホンを差し込むジャックである。
【００１３】
図２ではトレイについては正面部分以外は省略されて図示されている。
ディスクドライブ装置２０は、本体２１内に金属製のメカシャーシ３１が設けられている。メカシャーシ３１は、ディスクを回転させるスピンドルモータ３０や、ディスクに記録されたデータを読み取る光ピックアップ３２が設けられている。
スピンドルモータ３０の回転軸には、ディスクを載置するターンテーブル３３が設けられている。
また、光ピックアップ３２は、２本のガイドシャフト３４に沿って駆動モータ３６によって移動する。
【００１４】
メカシャーシ３１は、後端部３１ｂを支点として前端部３１ａが上下動するチルト機構を有している。
メカシャーシ３１は、トレイ２２が本体２１内に収納された際に、チルト機構により下方からトレイ２２へ接近してしてターンテーブル３３とチャッキングプーリ（図示せず）との間でディスクを挟み込むように動作する。このようにメカシャー３１のチルトによりディスクがクランプされてディスクの記録・再生が行なわれるのである。
トレイ２２が本体２１から突出する際には、トレイ２２からディスクが取り出せるように、メカシャーシ３１がチルトしてトレイから下降していく。この動作によりディスクのクランプが解除される。
【００１５】
符号４８はスライド部材である。スライド部材４８は、メカシャーシ３１の前端部３１ａにおいて、メカシャーシ３１に対して左右方向にスライド可能に設けられている。
スライド部材４８は、メカシャーシ３１の前端部３１ａから前方に向けて突出するガイドピン（図示せず）を収納する左右方向に延びる長孔（図示せず）が形成されている。かかる長孔は、上部と、下部と、上部と下部との間を連結する傾斜部とから構成されており、スライド部材４８が左右にスライドすることによって、ガイドピンの位置が上部と下部との間を移動する。このため、ガイドピンを有しているメカシャーシ３１が前端部３１ａが上下動するようにチルトするのである。
なお、ここでガイドピンおよび長孔は図示されてはいないが、チルト機構として従来から知られている構造と同様のものである。
【００１６】
スライド部材４８の左右方向へのスライド移動は、トレイ２２の突出入動作に伴って、トレイ２２により駆動される。
すなわち、スライド部材４８の上面には、上方に突出する押動ピン４９が形成され、この押動ピン４９がトレイ２２の下面に形成されているガイド溝５８（図７，８参照）内に摺動可能に収納されている。
トレイ２２の突出入によってガイド溝５８に沿って押動ピン４９が左右に移動され、スライド部材４８が左右にスライドする。
【００１７】
次に、図３に基づき、ディスクドライブ装置におけるトレイを突出入動作させる制御部分の構成について説明する。
図３に示すように、ディスクドライブ装置２０には、トレイ２２の移動を検出可能な移動検出手段４０と、トレイ２２を自動的に突出入させることができるようにモータ（図示せず）を有した駆動手段４２と、移動検出手段４０のトレイ２２の移動の検出結果に基づいて駆動手段４２を制御する制御部４４とを備えている。
【００１８】
駆動手段４２は、トレイ２２を人手によらず自動的に突出入（オートローディング）させるために、モータ（図示せず）と、該モータの回転力をトレイ２２へ伝達するための複数枚のギア群４５とから構成されている。
ギア群４５のうち、ギア４６がトレイ２２の下面に形成されたラック４７（図７，８参照）に噛合して、ラック２２を突出入させる。
【００１９】
次に、トレイの移動（操作者による押し込み）を検出する移動検出手段と、トレイの突出入動作の一例について図４〜図６に基づいて説明する。
トレイ２２の側方の上面には、前方側と後方側の２個所において上方に向けて突出する突起５０，５５が形成されている。
移動検出手段４０としては、トレイ２２の突起５０，５５を検出するスイッチ手段５２ａ，５２ｂ（以下、単にスイッチという）を前後に隣り合うように２個設け、これら２個のスイッチ５２ａ，５２ｂによりトレイ２２の移動を検出することとしている。いいかえると、移動検出手段４０は、トレイ２２の突出入に伴って、トレイ２２の突起５０，５５が２個のスイッチ５２ａ，５２ｂに接触してオン−オフする。このスイッチ５２ａ，５２ｂのオン−オフの様子によって、突起５０，５５の移動、すなわちトレイ２２の移動を検出する。
【００２０】
図４は、トレイが収納されている状態を示している。
このようにトレイ２２が収納されてトレイの動きが停止している際には、トレイ２２前方側に設けられた突起５０に前方側のスイッチ５２ａが接してオンとなっており、後方側のスイッチ５２ｂが突起５０には接しておらずオフとなっている。つまり、トレイ２２が収納されていること、または収納されたことは、スイッチ５２ａがオン、スイッチ５２ｂがオフとなっていることで判定できる。
このように、スイッチ５２ａがオン、スイッチ５２ｂがオフになっている場合には、制御部４４はトレイ２２が押されていないと判断し、トレイ２２の動作に関しては何ら制御しない。
【００２１】
図５に、図４に示した状態から操作者がトレイを少し押してトレイを突出させようとする場合を示す。
この場合には、トレイ２２が後方に少し押し込まれ、２個のスイッチのうち後方側のスイッチ５２ｂが突起５０に当接して、２個のスイッチ５２ａ，５２ｂ両方ともオンになる。
スイッチ５２ａがオンでスイッチ５２ｂがオフの状態から、スイッチ５２ａ，５２ｂが両方ともオンになったことが検出されると、制御部４４は、駆動手段４２に対してトレイ２２を突出させるように駆動信号を出力する。駆動信号を受けた駆動手段４２は、モータを回転させてトレイ２２を所定距離前方へ突出させる。
【００２２】
図６にトレイが突出したところを示す。
トレイ２２が所定距離前方に突出したら駆動手段４２は駆動を停止し、トレイ２２の突出を停止させる。
トレイ２２が所定距離前方へ突出したか否かは、スイッチ５２ａ，５２ｂのオン−オフの検出によって行なわれている。
すなわち、トレイ２２の後方側に位置する突起５５が２個のスイッチ５２ａ，５２ｂが存する位置にまで移動してくると、後方側のスイッチ５２ｂが突起５５に当接してオンとなる。
後方側のスイッチ５２ｂがオンになると、制御部４４がトレイ２２が停止位置にまで突出してきたと判断し、駆動手段４２へ停止信号を出力する。
【００２３】
制御部４４からの停止信号を受けた駆動手段４２は、モータを停止させてトレイ２２の突出動作を停止する。
この停止位置で、操作者がディスクを入れ替えたりする等の操作を行なう。
操作者の操作が終了したら、操作者はトレイ２２を少し後方へ押してトレイ２２を収納しようとする。
【００２４】
トレイ２２が突出している状態でトレイ２２が後方へ押されると、後方側のスイッチ５２ｂから突起５５が解除されて２個のスイッチ５２ａ，５２ｂが両方ともオフになる。
スイッチ５２ｂがオンになっている状態から、２個のスイッチ５２ａ，５２ｂがオフになったことは制御部４４によって検出される。２個のスイッチ５２ａ，５２ｂがオフになったことを検出した制御部４４は、トレイ２２を収納するように駆動信号を駆動手段４２へ出力する。
駆動信号を受けた駆動手段４２は、モータを駆動してトレイ２２を収納させていく。
トレイ２２が収納されていくと、トレイ２２の前方側の突起５０が２個のスイッチのうちの前方側のスイッチ５２ａが突起５０に当接する。すると、前方側のスイッチ５２ａがオンになる。
前方側のスイッチ５２ａがオンになったことは制御部４４によって検出される。前方側のスイッチ５２ａがオンになった場合には、制御部４４は駆動手段４２に対して停止信号を出力してトレイ２２の収納動作を停止させる。
【００２５】
なお、図４、５に示すように、トレイ２２の後方側端部と、本体２１の内壁面の後方側端部との間には、トレイの振動を防止する振動吸収部材３５が設けられている。
このような振動吸収部材３５を設けたことにより、トレイ２２のガタつきや振動を防止し、移動検出手段４０が誤動作してしまうことを防止することができる。
振動吸収部材３５としては、所定長さのスプリングやゴム材等の付勢部材を用いるとよい。
また、操作者がトレイ２２を押し込むときに、ある程度の強さの抵抗がないとスイッチとしては感触が悪く使いづらい。そこで、このような振動吸収部材３５を設けると、トレイ２２を押し込む場合には、振動吸収部材３５を圧縮するようになり、スイッチとしてほどよい感触を得られるという効果もある。
【００２６】
次に、図７に基づいてトレイ２２に形成されたガイド溝について説明する。
ガイド溝５８は、トレイ２２の下面において、トレイ２２の下方から上方に向けて突出しているピンを収納することができる程度の幅に形成された溝であって、トレイ２２の突出入方向にそって延びる縦部５９と、横方向に延びる横部６０と、横部６０と縦部５９とを連結している斜め部６１とから成る。
つまり、ガイド溝５８は、上述したようにメカシャーシ３１をチルトさせるスライド部材４８を左右にスライドさせるために、スライド部材４８の押動ピン４９が挿入され、押動ピン４９を左右に押動するものである。
【００２７】
トレイの動作と、押動ピンの動き、それに基づくメカシャーシのチルトについて説明する。
トレイ２２が収納されているとき、押動ピン４９は横部６１に位置している（図７の位置Ａ）。
トレイ２２が前方に突出していくと、押動ピン４９はガイド溝５８に沿って斜め部６１内に移動する（位置Ｂ）。横部６０から斜め部６１に押動ピン４９が移動することによって、スライド部材４８が左右にスライド移動してメカシャーシ３１が下降する。
さらにトレイ２２が前方に突出していくと、押動ピン４９は縦部５９内に移動する（位置Ｃ）。縦部５９内の押動ピン４９は、左右方向にはこれ以上移動することがないので、メカシャーシ３１はトレイ２２の突出が終了するまで、前端部３１ａが下降したままの状態である。
【００２８】
一方、突出していたトレイ２２を収納させていく場合、まず押動ピン４９は縦部５９内に位置しており、メカシャーシ３１は前端部３１ａが下降したままの状態である。
さらにトレイ２２が収納していくと、押動ピン４９は斜め部６１内に移動し、徐々に左右方向に移動していく。これによって、スライド部材４８が徐々に左右方向に移動してメカシャーシ３１は前端部３１ａが徐々に上昇するように移動する。
さらに、トレイ２２が収納されて収納位置で停止すると押動ピン４９は横部６０に位置し、メカシャーシ３１の前端部３１ａは完全に上昇してディスクをクランプする位置で停止する。
【００２９】
なお、このような案内溝５８は、従来は、横部６０において押動ピン４９の直径よりわずかに大きい程度の幅しか有していなかった（図８の破線参照）。
しかし、このような従来の横部６０では、トレイ２２が本体２１内に収納されているときには、操作者がトレイ２２を収納時に押し込んでも押動ピン４９が横部６０の前方側壁面６２に当接しており、トレイ２２をこれ以上押し込むことができず、トレイ２２をスイッチ手段として使用しようとすることができない。
そこで、以下に述べるような案内溝の形状を採用することによって、トレイ２２を本体２１に収納中であってもトレイ２２をさらに奥へ押し込むことができるようにした。
【００３０】
本実施形態によれば、案内溝５８の横部６０の前方側壁面６４は、従来の位置（図８の破線）よりも前方側に位置し、横部６０の幅は、他の縦部５９や斜め部６１と比較して幅広の幅広部６６として形成されている。
幅広部６６が形成されていることで、横部６０に押動ピン４９が位置しているときに、操作者がトレイ２２を押し込んでトレイ２２を作動させようとしても、押動ピン４９が幅広部６６へ移動可能であるので、トレイ２２をスイッチ（キートップ）として用いることが可能となった。
【００３１】
また、横部６０は、斜め部６１から接続されているところから幅広となるように形成されているわけではなく、斜め部６１との接続部分では、従来通りの幅を有する幅狭部６８を有している。
さらに、幅狭部６８の前方側壁面６９から幅広部６６の前方側壁面６４までは、突出入方向に対して傾斜しており、幅広部６６の前方側壁面６４の面積が前方に向かうにつれて小さくなるような傾斜面７０が形成されている。
【００３２】
このように、斜め部６１から横部６０に突入した直後に幅狭部６８が形成されていることによって、次のような作用がある。
すなわち、幅狭部６８が形成されていないと、トレイ２２が突出した状態から収納されていく間に、押動ピン４９が幅狭部６８を通過してから横部６０に移動するので、押動ピン４９が斜め部６１から横部６０に移動したとたん、トレイ２２の収納による慣性によって押動ピン４９が幅広の前方側壁面６４側に移動してしまう可能性もある。
すると、操作者がトレイ２２を押し込んでしまったことと同じ状態に移行してしまい、移動検出手段４０がトレイ２２の移動を検出してトレイ２２が突出する方向に駆動されてしまう。これではトレイ２２を収納した状態で停止させることができない。
そこで、幅狭部６８を形成することによって、横部６０内に押動ピン４９が移動してきても、押動ピン４９が前方に移動しないようにしてトレイ２２が突出開始してしまうような誤動作を防止することができる。
【００３３】
さらに、幅広部６６の前方側壁面６４と、幅狭部６８の前方側壁面６９とが傾斜面７０によって繋がっているので、次のような作用を奏する。
つまり、トレイ２２が操作者により押し込まれて押動ピン４９が幅広部６６の前方に位置しているところから、駆動手段４２が作動してトレイ２２が突出しようとしたときに、押動ピン４９が幅広部６６と幅狭部６８との間でひっかかってしまって、トレイ２２の突出動作を妨げるようなことを防止することができる。
つまり、傾斜面７０が形成されておらず、幅狭部６８と幅広部６６との間がトレイの突出入方向に平行に延びる壁面で繋がっていれば押動ピン４９がこの壁面に当接していてトレイが動作しなくなることも考えられるからである。
【００３４】
また上述してきたトレイ２２の構成によれば、トレイと２個のスイッチが接触したり、駆動手段によるギア４６がトレイ２２のラック４７とが噛合したりするということはあるが、トレイ２２には本体との間で何らの電気配線が配されていない。
したがって、トレイ２２は本体２１から簡単に取り外すことができ、本体内の修理などが容易に行える。
【００３５】
また、上述したようにトレイ２２には電気配線がいっさい配されていないので、トレイ収納時にディスクドライブ装置２０を前方が下方となるように傾けると、トレイ２２が本体２１から突出してきてしまう可能性もあるが、本実施形態では横部６０の後方側壁面６５が形成されているので押動ピン４９がこの後方側壁面６５に当接するので、トレイ２２が前方へ突出してしまうことを防止できる。
【００３６】
なお、上述してきた実施形態では、トレイの移動検出手段として、トレイの突起を検出するスイッチ手段を設けた例について説明してきた。
しかし、移動検出手段としてはこのようなものに限定されることはなく、例えばトレイに移動検出用の凹部を形成し、本体にはこの凹部を検出するようなセンサを設け、センサによってトレイの移動を検出するようにしても好適である。センサとしては接触形、非接触形を問わず利用することができる。
【００３７】
以上本発明につき好適な実施例を挙げて種々説明したが、本発明はこの実施例に限定されるものではなく、発明の精神を逸脱しない範囲内で多くの改変を施し得るのはもちろんである。
【００３８】
【発明の効果】
本発明に係るディスクドライブ装置によれば、トレイのガイド溝は、トレイの突出入時に押動ピンの位置を変更させないようにトレイの突出入方向に沿って延びる縦部と、押動ピンを左右どちらかの横方向に押動するように縦部からトレイの突出入方向と直交する横方向に延びる横部を有し、横部には、押動ピンが横部に位置した場合に操作者がトレイを押し込むことができるようにトレイの前方に向かってガイド溝が幅広に設けられた幅広部が形成されているので、トレイの突出入動作に伴ってメカシャーシをチルトさせる押動ピンが、操作者がトレイを押し込むことを妨げないようにできる。つまり、従来のガイド溝であれば、トレイが収納されているときに操作者がトレイを押し込んでも押動ピンがガイド溝に収納されていてトレイが動かなかったが、この構成では操作者がトレイを押し込んでも押動ピンが幅広部内に位置するようにトレイの移動が可能となったので、トレイをスイッチとして設けることができた。
【００３９】
また、横部には、縦部側と連結されている入り口側の部位が、幅広部よりも幅狭であって、押動ピンを摺動させる程度の幅の幅狭部が形成され、幅狭部の前方側壁面と幅広部の前方側壁面とを繋ぐ壁面が、トレイの突出入方向に対して斜めに傾斜した傾斜面が形成されているので、トレイが収納されていく間に、押動ピンが幅狭部を通過してから横部の幅広部内に移動する。このため、トレイの収納による慣性によって押動ピンが縦部から横部に移動したとたんに幅広部に入ってトレイが押し込まれた状態に移行してしまうことを防止することができる。また、傾斜面を形成したことで、トレイが操作者により押し込まれて押動ピンが幅広部の前方側壁面の方へ位置しているところからトレイが突出しようと作動したときに、押動ピンが幅広部の収納方向側壁面と幅狭部の収納方向側壁面との間でひっかかってしまって、トレイの突出動作を妨げるようなことを防止することができる。
【図面の簡単な説明】
【図１】本発明に係るディスクドライブ装置の正面図である。
【図２】ディスクドライブ装置の分解斜視図である。
【図３】トレイの突出入を制御する制御回路のブロック図である。
【図４】トレイが収納されているときの移動検出手段を示すディスクドライブ装置の側方からの断面図である
【図５】図４に示した状態から操作者がトレイを押し込んだときの移動検出手段を示すディスクドライブ装置の側方からの断面図である。
【図６】図４に示した状態からトレイが突出したときの移動検出手段を示すディスクドライブ装置の側方からの断面図である。
【図７】トレイの下面を示す底面図である。
【図８】ガイド溝の形状を示す図７に示したトレイ下面の拡大図である。
【図９】従来のディスクドライブ装置の前面側を示す外観図である。
【図１０】従来のディスクドライブ装置のトレイを突出させたところを示す外観図である。
【符号の説明】
２０  ディスクドライブ装置
２１  本体
２２  トレイ
２４  再生ボタン
２６  ボリューム
２７  インジケータ
２８  ジャック
３０  スピンドルモータ
３１  メカシャーシ
３２  光ピックアップ
３３  ターンテーブル
３４  ガイドシャフト
３５  振動吸収部材
３６  モータ
４０  移動検出手段
４２  駆動手段
４４  制御部
４５  ギア群
４６  ギア
４７  ラック
４８  スライド部材
４９  押動ピン
５０，５５  突起
５２  スイッチ
５８  ガイド溝
５９  縦部
６０  横部
６１  斜め部
６２  従来の前方側壁面
６４  幅広部の前方側壁面
６５  横部の後方側壁面
６６  幅広部
６８  幅狭部
６９  幅狭部の前方側壁面
７０  傾斜面
【図１】
0003607880.tif 000002
【図２】
0003607880.tif 000003
【図３】
0003607880.tif 000004
【図４】
0003607880.tif 000005
【図５】
0003607880.tif 000006
【図６】
0003607880.tif 000007
【図７】
0003607880.tif 000008
【図８】
0003607880.tif 000009
【図９】
0003607880.tif 000010
【図１０】
0003607880.tif 000011